(57)【要約】      （修正有）【課題】家具の取手によって意匠性を高めて、しかも取手もつかみやすく、シンプルモダン性を引き出した木製家具の化粧装飾前板でデザイン性をもたらした引出の取手にして、溝や穴によらない取手付き箪笥を提供する。【解決手段】引出付き家具に対して出し入れ可能に設けられた縦切り込み取手を持つ引出を備え、縦切り込み取手は、引出部の中央から前後３００ｍｍの範囲に１個、又は２個であって、家具の引出部の左面側から右面側、或いは右面側から左面側に幅５０〜１００ｍｍに深さを徐々に大きくなるようにテーパ状掘り込みを形成して、縦取手の位置に１０〜１５ｍｍφのＲ形状の掘り込みにする。【選択図】図１
0003177349.tif 000002
【実用新案登録請求の範囲】
【請求項１】
引出付き家具に対して出し入れ可能に設けられた縦切り込み取手を持つ引出部を備え、前記家具の引出部の縦切り込み取手は、引出部の中央から左右３００ｍｍの範囲に１個、又は２個であって、家具の引出部を中央部付近の左面側から右面側、或いは右面側から左面側に５０〜１００ｍｍの長さで徐々に深くなるようにテーパ状掘り込みを形成して、縦取手の位置に１０〜１５ｍｍφのＲ形状の掘り込みになっていることを特徴とする縦状掘り込み模様取手付き箪笥。
【請求項２】
前記箪笥家具の引出部は、段数として４〜８段であって、デザイン性を持たせるために、縦切り込み取手の位置を段数によって位置に変更して、中央部で取手の交互列型、一直線列型、くの字列型、半月列型、Ｓ字列型、２直線列型から選ばれた縦切り込み形状模様になっている取手を持っていることを特徴とする請求項１記載の縦状掘り込み模様の取手付き箪笥。
【請求項３】
引出部の厚さ２０〜２５ｍｍの前板である化粧板に取り付けた縦切り込み取手は、傾斜付き縦掘り込Ｒ形凹状であって、手の指を簡単に挿入できて、Ｒ状部を掴めるようにするために、縦掘り込Ｒ形凹部内の先端を半径５〜７ｍｍのＲ状の形状になっていることを特徴とする請求項１又は請求項２に記載の縦状掘り込み模様の取手付き箪笥。
【考案の詳細な説明】
【技術分野】
【０００１】この考案は、家具の箪笥などの小型収納箱引出部の取手に関して、引き出しを容易にした小型収納の家具で、しかもデザイン性で掴みやすい取手を持つ箪笥家具に関する。
【背景技術】
【０００２】従来、小物を収納することができるものとして、複数の引き出しを備えた小型収納箱、箪笥がある。一般に、このような小型収納箱は、引き出しを完全に抜き取って使用されることがある。【０００３】箪笥の木製基材板に、多数のランダムな大きさの線状の溝目要素をもって、全体として線状目模様の流動状を構成するように彫られた木板部を有する化粧板を表面に示したものが示されている（特許文献１参照）。【０００４】この化粧板に、木材表面をブラッシング加工して春材部、花模様部を削り取り、表面に凹凸を形成した後に塗装仕上げしたものが知られている（特許文献２参照）。またこの箪笥の表面の化粧板は、木質素材表面の自然の凹凸感を生かしたものとして、優れた質感のある木質材としてデザイン的に注目されてもいる（特許文献３参照）。【０００５】  枠部材を固着されたスライドドア（兼筆記用のボード）に対して安価な取手を迅速かつ容易に取り付ける技術を提供するために、取手にはフックが形成されている。このフックを枠部材のネジ覆い部に引っ掛けると、該取手は往復的に傾動し得るようになることが提案されている（特許文献４参照）。【０００６】家具の扉に取着される家具用取手において、取手の少なくとも前面及び側周面に家具の扉の表面の化粧材と同材質で同柄の表面材を貼着して成るデザイン性家具用取手が提案されている（特許文献５参照）。【０００７】  薄板状に形成されてその下面に凹み部が形成されている取手において、凹み部の前縁に凹み部とともに手掛かり部を構成する垂下片が形成されている取手が提案されている（特許文献６参照）。
しかし縦切り込み取手の位置、形状など、あるいは引出の取手の位置の変更などによる新規のデザイン性の箪笥は存在していない。
【先行技術文献】
【特許文献】
【０００８】
【特許文献１】実登第３１４２９１７号
【特許文献２】特開平５−７６８２９号
【特許文献３】特開平１１−１６５３９６号
【特許文献４】特開平７−３２４５２５号
【特許文献５】特開平５−２９５９３２号
【特許文献６】特開２０１１−１５６２５８号
【考案の概要】
【考案が解決しようとする課題】
【０００９】家具の小型収納箱、箪笥は、デザイン性を増すためには、引出に設けられた取手も小さくなっているので、取手がつかみにくいという問題があった。これを解消する手段として取手の形を変えることが考えられるが、取手を大きくした場合には、邪魔であるとの問題を生じてくる。【００１０】特に、小型収納箱、箪笥を壁面に取り付けて使用する場合には、取手に衣服等が引っ掛かって引き出しが脱落するなどの不都合が生じてくる。このため、取手を大きく形成することは避けなければならなかった。【００１１】本考案は、以上のような問題を解決するもので、目的は、家具の小型収納箱において、引出部において縦型にした取手を入れやすくすることにある。また、家具の引出のデザイン性の取手をつかみやすくすることにある。
家具の小型収納箱である箪笥において、表面の化粧板に取手を固定するための特別な器具を引出部内に設けることなく、引出部の表面内に縦切り込みの取手を固定することにある。【００１２】また、家具の小型収納箱の箪笥は、引き出しに設けられた取手も小さくなっているので、取手がつかみにくいという問題があった。これを解消する手段として取手を大きくすることが考えられるが、取手を器具などで大きくした場合には、邪魔であるとの問題を生じてくる。この縦掘り込み凹部内に取手が収容されて形成されているので縦掘り込み、縦凹部内に指を入れることにより、取手をつまむことができ、取手がつまみやすい。また、取手は縦掘り込み凹部内に収容されて形成されているので、邪魔にならない。【００１３】このため、取手を大きく形成することは避けなければならなかった。また取手を縦型にして引出部の中心部、或いは下部の横線の切り込みではデザイン性は富なかった。
【課題を解決するための手段】
【００１４】  上記の目的を達成するために、家具箱体と、この箪笥に対して出し入れ可能に設けられた引出部とを備え、前記箪笥の箱体および引出部は、箪笥の前面側に向かって縦形状で高さおよび幅寸法が小さくなるように化粧板の表面に縦にテーパ状に形成されていることを特徴とする。【００１５】引出付き箪笥家具に対して出し入れ可能に設けられた縦切り込み取手を持つ引出を備え、前記箪笥家具および引き出しの縦切り込み取手は、引出部の中央から前後３００ｍｍの範囲に１個又は２個であって、家具の引出部の左面側から右面側、或いは右面側から左面側に幅５０〜１００ｍｍに深さを徐々に大きくなるようにテーパ状掘り込みを形成して、縦取手の位置に１０〜１５ｍｍφのＲ形状の掘り込みにしている掘り込み模様取手付き箪笥である。【００１６】前記箪笥家具の引出は、段数として４〜８段であって、縦切り込み取手の位置を段数によって交互に変えて、中央部で取手の交互列型、一直線列型、くの字列型、半月型、Ｓ字列型、２直線列型から選ばれたデザイン性を持たせる。【００１７】厚さ２０〜２５ｍｍの引出部の前板に取り付けた縦切り込み取手は、傾斜付き横掘り込み凹状であって、手の指を簡単に挿入できて、掴めるようにするために、横凹部内の先端を半径５〜７ｍｍのＲ状の形状にしている。【００１８】    木製基材板は、無垢の木製板、合板（ＭＤＦ）、前記の木板に突板を貼った木板のいずれかから選ばれた基材板である縦掘り込み模様の化粧板である。【００１９】  本考案においては、基材が露出することを良好とする場合もあるうえに、削り取り後、明暗縦掘り込みの凹部によって優れた質感と意匠性とを実現する。【００２０】  この箪笥表面の化粧材の切り込み、Ｒ形状の製造では、ＮＣ機によって凹部をエンボス加工する場合、ＮＣ機側歯形に、柾目模様の溝凹部を形成するための歯形構造を設けられている、ＮＣ機側に縦掘り込み凹部が設けられている部分との幅方向の位置を合わせるだけで、縦掘り込み模様を構成するＲ形状掘り込み構造部を、木目部に化粧板の縦掘り込み凹部を形成する。【００２１】  これによって、曲線形縦掘り込み模様に構成されている化粧材の板目模様を表しており、全体で意匠性を有するように製造できる。
【考案の効果】
【００２２】  家具収納箱によれば、箪笥の箱体に対して出し入れ可能に設けられた引出の前部に取手形成用の縦掘り込み凹部が設けられ、この縦掘り込み凹部内に取手が収容されて形成されているので縦掘り込み、縦凹部内に指を入れることにより、取手をつまむことができ、取手がつまみやすい。また、取手は縦掘り込み凹部内に収容されて形成されているので、邪魔にならない。【００２３】  家具の箱体引出に対して出し入れ可能に設けられた複数の引出の前部には、取手形成用縦掘り込みの凹部がそれぞれ設けられ、これらの縦掘り込み凹部同士が、各引き出しの前部に縦方向直線状に連なっているので、取手回りのスペースが広くなる。したがって、縦掘り込み凹部に指を入れやすく、取手がつまみやすい。【００２４】  本考案の引出表面の木製板の縦掘り込み構造装飾板は、家具で従来と同等の意匠性と趣を維持しながら、家具の美観的デザイン性を向上させることができ、製造面でもコストを削減することができる。縦掘り込み表現による意匠性、質感ともに優れた装飾板にして、和風的で、豪華さを持った箪笥家具が提供される。
【図面の簡単な説明】
【００２５】
【図１】縦掘り込み形状模様の取手付き箪笥家具の斜視図
【図２】縦掘り込み形状の木製化粧板の基板の上面図
【図３】縦掘り込み形状の木製化粧板の基板の斜視図
【図４】引出７段くの字列縦掘り込み模様取手付き箪笥の正面図
【図５】引出５段一直線列縦掘り込み模様取手付き箪笥の正面図
【図６】引出７段Ｓの字列縦掘り込み状模様取手付き箪笥の正面図
【図７】引出７段二直線列縦掘り込み模様取手付き箪笥の正面図
【図８】引出７段交互列縦掘り込み模様取手付き箪笥の正面図
【図９】引出５段交互列縦掘り込み模様取手付き箪笥の正面図
【考案を実施するための形態】
【００２６】以下、本考案を実施するための最良の形態について説明する。
収納箱である箪笥によれば、箪笥の引出に対して出し入れ可能に設けられた引出しの前部に取手形成用の縦凹部が設けられ、この縦凹部内に取手が収容されて形成されているので、凹部内に指を入れることにより、取手をつまむことができ、取手がつまみやすい。また、取手は縦凹部内に収容されて形成されているので、邪魔にならない。また縦掘り込みによってデザイン性を向上している。
【００２７】箪笥の引出に対して出し入れ可能に設けられた複数の引き出しの前部には、取手形成用の縦凹部がそれぞれ設けられ、これらの縦凹部同士が、各引き出しの前部に縦方向直線状に連なっているので、結果として、取手回りのスペースが広くなる。したがって、デザイン性で縦凹部に指を入れやすく、取手がつまみやすい。
【実施例１】
【００２８】図１に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２１ｍｍのパイン材を使用して、表面板、側板、天板、台座、引出部に使用した。この５段の引出部（最下段：２５０ｍｍ、中二段：２００ｍｍ、上二段：１５０ｍｍ）のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００２９】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の交互列型のデザイン性を持たせたものにした。【００３０】図２，３に示すように、厚さ２１ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００３１】図３で示すテーパ状掘り込み取手を形成した木製表面板付き箪笥家具は、無垢パインの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００３２】その効果として引出部表面の取手の交互型線状模様をより箪笥家具の引出表面を際立たせることが出来た。本考案の箪笥家具は古風性を増して、意匠性を高めた。
【実施例２】
【００３３】図４に示すように、縦状掘り込み模様取手付き箪笥に対して縦切り込み取手を持つ引出を備え、前記箪笥での引出しの縦切り込み取手は、引出部の中央から前後３００ｍｍの範囲に１個で全体でくの字状に取り付けた７段の引出付き箪笥であって、家具箪笥の材料として、厚さ２１ｍｍのパイン材を使用して、表面板、側板、天板、台座、引出部に使用した。この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００３４】前記家具の引出は、段数として７段（最下段：２５０ｍｍ、中四段：２００ｍｍ、上二段：１５０ｍｍ）であって、縦切り込み取手の位置を段数でくの字状に変えて、中央部で取手のくの字列型のデザイン性を持たせたものにした。【００３５】図２，３に示すように、厚さ２１ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００３６】図３で示すテーパ状掘り込み取手を形成した木製表面板付き箪笥家具は、無垢パインの木製板を、ＫＩＴＡＫＯ社のＮＣ機を使いリプルーズカッター刃で、深さ０．５〜１５ｍｍの範囲で表面を徐々に削った縦Ｒ字型彫り込み入り取手を持つ木製化粧板を使用した。【００３７】その効果として引出部表面の取手のくの字型線状模様をより７段引出箪笥家具の引出表面を際立たせることが出来た。本発明の箪笥家具は古風性トデザイン性を増して、箪笥の意匠性を高めた。
【実施例３】
【００３８】図５に示すように、縦状掘り込み模様取手付き箪笥に対して縦切り込み取手を持つ引出を備え、前記箪笥での引出しの縦切り込み取手は、引出部の中央から前後３００ｍｍの範囲に一直線上に取り付けた５段引出付き箪笥であって、家具箪笥の材料として、厚さ２５ｍｍのパイン材を使用して、表面板、側板、天板、台座、引出部に使用した。【００３９】この５段（最下段：２５０ｍｍ、中二段：２００ｍｍ、上二段：１５０ｍｍ）の引出部のすべての表面板で、中心から１００ｍｍの位置で、右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００４０】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の一直線上列型のデザイン性を持たせたものにした。【００４１】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００４２】図１で示すテーパ状掘り込み取手を形成した木製表面板付き箪笥家具は、無垢パインの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００４３】その効果として引出部表面の取手の一直線上に線状模様をより箪笥家具の引出表面を際立たせることが出来た。本発明の箪笥家具は古風性を増して、意匠性を高めた。
【実施例４】
【００４４】図６に示すように、縦状掘り込み模様取手付き箪笥に対して縦切り込み取手を持つ引出を備え、前記箪笥での引出しの縦切り込み取手は、引出部の中央から前後３００ｍｍの範囲に１個でＳ字状に取り付けた箪笥であって、家具箪笥の材料として、厚さ２５ｍｍのパイン材を使用して、表面板、側板、天板、台座、引出部に使用した。【００４５】この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出７段の箪笥を製作した。【００４６】前記家具の引出は、段数として５段（最下段：２５０ｍｍ、中四段：２００ｍｍ、上二段：１５０ｍｍ）であって、縦切り込み取手の位置を段数によって交互に変えて、中央部で取手のＳ字状列型のデザイン性を持たせたものにした。【００４７】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００４８】図３で示すテーパ状掘り込み取手を形成した木製表面板付き箪笥家具は、無垢パインの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００４９】その効果として引出部表面の取手のＳ字状模様をより箪笥家具の引出表面を際立たせることが出来た。本発明の箪笥家具は古風性を増して、意匠性を高めた。
【実施例５】
【００５０】図７に示すように、縦状掘り込み模様取手付き箪笥に対して縦切り込み取手を持つ引出を備え、前記箪笥での引出しの縦切り込み取手は、引出部の中央から前後３００ｍｍの範囲に１個で二列直線状に取り付けた箪笥であって、家具箪笥の材料として、厚さ２５ｍｍのパイン材を使用して、表面板、側板、天板、台座、引出部に使用した。【００５１】この５段（最下段：２５０ｍｍ、中二段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００５２】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の二列直線状列型のデザイン性を持たせたものにした。【００５３】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００５４】図１で示すテーパ状掘り込み取手を形成した木製表面板付き箪笥家具は、無垢パインの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００５５】その効果として引出部表面の取手の二列直線状模様をより箪笥家具の引出表面を際立たせることが出来た。本発明の箪笥家具は古風性を増して、意匠性を高めた。
【実施例６】
【００５６】図８に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２５ｍｍのパイン材を使用して、表面板、側板、天板、台座、引出部に使用した。【００５７】この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出７段の箪笥を製作した。【００５８】前記家具の引出は、段数として７段（最下段：２５０ｍｍ、中四段：２００ｍｍ、上二段：１５０ｍｍ）であって、縦切り込み取手の位置を段数によって交互に変えて、中央部で取手の交互列型のデザイン性を持たせたものにした。【００５９】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００６０】図１で示すテーパ状掘り込み取手を形成した木製表面板付き箪笥家具は、無垢パインの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００６１】その効果として引出部表面の取手の交互型線状模様をより箪笥家具の引出表面を際立たせることが出来た。本発明の箪笥家具は古風性を増して、意匠性を高めた。
【実施例７】
【００６２】図９に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２５ｍｍのモミ材を使用して、表面板、側板、天板、台座、引出部に使用した。【００６３】この５段（最下段：３００ｍｍ、中二段：２５０ｍｍ、上二段：２００ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００６４】前記家具の引出は、段数として５段（最下段：３００ｍｍ、中二段：２５０ｍｍ、上二段：２００ｍｍ）であって、縦切り込み取手の位置を段数によって交互に変えて、中央部で取手の交互列型のデザイン性を持たせたものにした。【００６５】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００６６】図１で示すテーパ状掘り込み取手を形成した木製表面板付き箪笥家具は、無垢モミの木製板を、（公序良俗違反につき、不掲載）のＮＣ機を使いリプルーズカッター刃で、深さ０．５〜１５ｍｍの範囲で表面を徐々に削った縦Ｒ字型彫り込み入り取手を持つ木製化粧板を使用した。【００６７】その効果として引出部表面の取手の交互型線状模様をより箪笥家具の引出表面を際立たせることが出来た。本発明の箪笥家具は古風性を増して、意匠性を高めた。
【符号の説明】
【００６８】１．取手
２．引出
３．取手彫りこみ部
４．天板
５．台座
６．彫りこみテーパー部
７．Ｒ部
【図１】
0003177349.tif 000003
【図２】
0003177349.tif 000004
【図３】
0003177349.tif 000005
【図４】
0003177349.tif 000006
【図５】
0003177349.tif 000007
【図６】
0003177349.tif 000008
【図７】
0003177349.tif 000009
【図８】
0003177349.tif 000010
【図９】
0003177349.tif 000011
【手続補正書】
【提出日】平成24年5月18日(2012.5.18)
【手続補正１】
【補正対象書類名】明細書
【補正対象項目名】全文
【補正方法】変更
【補正の内容】
【考案の詳細な説明】
【技術分野】
【０００１】この考案は、家具の箪笥などの小型収納箱引出部の取手に関して、引き出しを容易にした小型収納の家具で、しかもデザイン性で掴みやすい取手を持つ箪笥家具に関する。
【背景技術】
【０００２】従来、小物を収納することができるものとして、複数の引き出しを備えた小型収納箱、箪笥がある。一般に、このような小型収納箱は、引き出しを完全に抜き取って使用されることがある。【０００３】箪笥の木製基材板に、多数のランダムな大きさの線状の溝目要素をもって、全体として線状目模様の流動状を構成するように彫られた木板部を有する化粧板を表面に示したものが示されている（特許文献１参照）。【０００４】この化粧板に、木材表面をブラッシング加工して春材部、花模様部を削り取り、表面に凹凸を形成した後に塗装仕上げしたものが知られている（特許文献２参照）。またこの箪笥の表面の化粧板は、木質素材表面の自然の凹凸感を生かしたものとして、優れた質感のある木質材としてデザイン的に注目されてもいる（特許文献３参照）。【０００５】  枠部材を固着されたスライドドア（兼筆記用のボード）に対して安価な取手を迅速かつ容易に取り付ける技術を提供するために、取手にはフックが形成されている。このフックを枠部材のネジ覆い部に引っ掛けると、該取手は往復的に傾動し得るようになることが提案されている（特許文献４参照）。【０００６】家具の扉に取着される家具用取手において、取手の少なくとも前面及び側周面に家具の扉の表面の化粧材と同材質で同柄の表面材を貼着して成るデザイン性家具用取手が提案されている（特許文献５参照）。【０００７】  薄板状に形成されてその下面に凹み部が形成されている取手において、凹み部の前縁に凹み部とともに手掛かり部を構成する垂下片が形成されている取手が提案されている（特許文献６参照）。
しかし縦切り込み取手の位置、形状など、あるいは引出の取手の位置の変更などによる新規のデザイン性の箪笥は存在していない。
【先行技術文献】
【特許文献】
【０００８】
【特許文献１】実登第３１４２９１７号
【特許文献２】特開平５−７６８２９号
【特許文献３】特開平１１−１６５３９６号
【特許文献４】特開平７−３２４５２５号
【特許文献５】特開平５−２９５９３２号
【特許文献６】特開２０１１−１５６２５８号
【考案の概要】
【考案が解決しようとする課題】
【０００９】家具の小型収納箱、箪笥は、デザイン性を増すためには、引出に設けられた取手も小さくなっているので、取手がつかみにくいという問題があった。これを解消する手段として取手の形を変えることが考えられるが、取手を大きくした場合には、邪魔であるとの問題を生じてくる。【００１０】特に、小型収納箱、箪笥を壁面に取り付けて使用する場合には、取手に衣服等が引っ掛かって引き出しが脱落するなどの不都合が生じてくる。このため、取手を大きく形成することは避けなければならなかった。【００１１】本考案は、以上のような問題を解決するもので、目的は、家具の小型収納箱において、引出部において縦型にした取手を入れやすくすることにある。また、家具の引出のデザイン性の取手をつかみやすくすることにある。
家具の小型収納箱である箪笥において、表面の化粧板に取手を固定するための特別な器具を引出部内に設けることなく、引出部の表面内に縦切り込みの取手を固定することにある。【００１２】また、家具の小型収納箱の箪笥は、引き出しに設けられた取手も小さくなっているので、取手がつかみにくいという問題があった。これを解消する手段として取手を大きくすることが考えられるが、取手を器具などで大きくした場合には、邪魔であるとの問題を生じてくる。この縦掘り込み凹部内に取手が収容されて形成されているので縦掘り込み、縦凹部内に指を入れることにより、取手をつまむことができ、取手がつまみやすい。また、取手は縦掘り込み凹部内に収容されて形成されているので、邪魔にならない。【００１３】このため、取手を大きく形成することは避けなければならなかった。また取手を縦型にして引出部の中心部、或いは下部の横線の切り込みではデザイン性は富なかった。
【課題を解決するための手段】
【００１４】  上記の目的を達成するために、家具箱体と、この箪笥に対して出し入れ可能に設けられた引出部とを備え、前記箪笥の箱体および引出部は、箪笥の前面側に向かって縦形状で高さおよび幅寸法が小さくなるように化粧板の表面に縦にテーパ状に形成されていることを特徴とする。【００１５】引出付き箪笥家具に対して出し入れ可能に設けられた縦切り込み取手を持つ引出を備え、前記箪笥家具および引き出しの縦切り込み取手は、引出部の中央から前後３００ｍｍの範囲に１個又は２個であって、家具の引出部の左面側から右面側、或いは右面側から左面側に幅５０〜１００ｍｍに深さを徐々に大きくなるようにテーパ状掘り込みを形成して、縦取手の位置に１０〜１５ｍｍφのＲ形状の掘り込みにしている掘り込み模様取手付き箪笥である。【００１６】前記箪笥家具の引出は、段数として４〜８段であって、縦切り込み取手の位置を段数によって交互に変えて、中央部で取手の交互列型、一直線列型、くの字列型、半月型、Ｓ字列型、２直線列型から選ばれたデザイン性を持たせる。【００１７】厚さ２０〜２５ｍｍの引出部の前板に取り付けた縦切り込み取手は、傾斜付き横掘り込み凹状であって、手の指を簡単に挿入できて、掴めるようにするために、横凹部内の先端を半径５〜７ｍｍのＲ状の形状にしている。【００１８】    木製基材板は、無垢の木製板、合板（ＭＤＦ）、前記の木板に突板を貼った木板のいずれかから選ばれた基材板である縦掘り込み模様の化粧板である。【００１９】  本考案においては、基材が露出することを良好とする場合もあるうえに、削り取り後、明暗縦掘り込みの凹部によって優れた質感と意匠性とを実現する。【００２０】  この箪笥表面の化粧材の切り込み、Ｒ形状の製造では、ＮＣ機によって凹部をエンボス加工する場合、ＮＣ機側歯形に、柾目模様の溝凹部を形成するための歯形構造を設けられている、ＮＣ機側に縦掘り込み凹部が設けられている部分との幅方向の位置を合わせるだけで、縦掘り込み模様を構成するＲ形状掘り込み構造部を、木目部に化粧板の縦掘り込み凹部を形成する。【００２１】  これによって、曲線形縦掘り込み模様に構成されている化粧材の板目模様を表しており、全体で意匠性を有するように製造できる。
【考案の効果】
【００２２】  家具収納箱によれば、箪笥の箱体に対して出し入れ可能に設けられた引出の前部に取手形成用の縦掘り込み凹部が設けられ、この縦掘り込み凹部内に取手が収容されて形成されているので縦掘り込み、縦凹部内に指を入れることにより、取手をつまむことができ、取手がつまみやすい。また、取手は縦掘り込み凹部内に収容されて形成されているので、邪魔にならない。【００２３】  家具の箱体引出に対して出し入れ可能に設けられた複数の引出の前部には、取手形成用縦掘り込みの凹部がそれぞれ設けられ、これらの縦掘り込み凹部同士が、各引き出しの前部に縦方向直線状に連なっているので、取手回りのスペースが広くなる。したがって、縦掘り込み凹部に指を入れやすく、取手がつまみやすい。【００２４】  本考案の引出表面の木製板の縦掘り込み構造装飾板は、家具で従来と同等の意匠性と趣を維持しながら、家具の美観的デザイン性を向上させることができ、製造面でもコストを削減することができる。縦掘り込み表現による意匠性、質感ともに優れた装飾板にして、和風的で、豪華さを持った箪笥家具が提供される。
【図面の簡単な説明】
【００２５】
【図１】縦掘り込み形状模様の取手付き箪笥家具の斜視図
【図２】縦掘り込み形状の木製化粧板の基板の上面図
【図３】縦掘り込み形状の木製化粧板の基板の斜視図
【図４】引出７段くの字列縦掘り込み模様取手付き箪笥の正面図
【図５】引出５段一直線列縦掘り込み模様取手付き箪笥の正面図
【図６】引出７段Ｓの字列縦掘り込み状模様取手付き箪笥の正面図
【図７】引出７段二直線列縦掘り込み模様取手付き箪笥の正面図
【図８】引出７段交互列縦掘り込み模様取手付き箪笥の正面図
【図９】引出５段交互列縦掘り込み模様取手付き箪笥の正面図
【考案を実施するための形態】
【００２６】以下、本考案を実施するための最良の形態について説明する。
収納箱である箪笥によれば、箪笥の引出に対して出し入れ可能に設けられた引出しの前部に取手形成用の縦凹部が設けられ、この縦凹部内に取手が収容されて形成されているので、凹部内に指を入れることにより、取手をつまむことができ、取手がつまみやすい。また、取手は縦凹部内に収容されて形成されているので、邪魔にならない。また縦掘り込みによってデザイン性を向上している。
【００２７】箪笥の引出に対して出し入れ可能に設けられた複数の引き出しの前部には、取手形成用の縦凹部がそれぞれ設けられ、これらの縦凹部同士が、各引き出しの前部に縦方向直線状に連なっているので、結果として、取手回りのスペースが広くなる。したがって、デザイン性で縦凹部に指を入れやすく、取手がつまみやすい。
【実施例１】
【００２８】図１に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２１ｍｍのパイン材を使用して、表面板、側板、天板、台座、引出部に使用した。この５段の引出部（最下段：２５０ｍｍ、中二段：２００ｍｍ、上二段：１５０ｍｍ）のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００２９】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の交互列型のデザイン性を持たせたものにした。【００３０】図２，３に示すように、厚さ２１ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００３１】図３で示すテーパ状掘り込み取手を形成した木製表面板付き箪笥家具は、無垢パインの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００３２】その効果として引出部表面の取手の交互型線状模様をより箪笥家具の引出表面を際立たせることが出来た。本考案の箪笥家具は古風性を増して、意匠性を高めた。
【実施例２】
【００３３】図４に示すように、縦状掘り込み模様取手付き箪笥に対して縦切り込み取手を持つ引出を備え、前記箪笥での引出しの縦切り込み取手は、引出部の中央から前後３００ｍｍの範囲に１個で全体でくの字状に取り付けた７段の引出付き箪笥であって、家具箪笥の材料として、厚さ２１ｍｍのパイン材を使用して、表面板、側板、天板、台座、引出部に使用した。この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００３４】前記家具の引出は、段数として７段（最下段：２５０ｍｍ、中四段：２００ｍｍ、上二段：１５０ｍｍ）であって、縦切り込み取手の位置を段数でくの字状に変えて、中央部で取手のくの字列型のデザイン性を持たせたものにした。【００３５】図２，３に示すように、厚さ２１ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００３６】図３で示すテーパ状掘り込み取手を形成した木製表面板付き箪笥家具は、無垢パインの木製板を、ＫＩＴＡＫＯ社のＮＣ機を使いリプルーズカッター刃で、深さ０．５〜１５ｍｍの範囲で表面を徐々に削った縦Ｒ字型彫り込み入り取手を持つ木製化粧板を使用した。【００３７】その効果として引出部表面の取手のくの字型線状模様をより７段引出箪笥家具の引出表面を際立たせることが出来た。本発明の箪笥家具は古風性トデザイン性を増して、箪笥の意匠性を高めた。
【実施例３】
【００３８】図５に示すように、縦状掘り込み模様取手付き箪笥に対して縦切り込み取手を持つ引出を備え、前記箪笥での引出しの縦切り込み取手は、引出部の中央から前後３００ｍｍの範囲に一直線上に取り付けた５段引出付き箪笥であって、家具箪笥の材料として、厚さ２５ｍｍのパイン材を使用して、表面板、側板、天板、台座、引出部に使用した。【００３９】この５段（最下段：２５０ｍｍ、中二段：２００ｍｍ、上二段：１５０ｍｍ）の引出部のすべての表面板で、中心から１００ｍｍの位置で、右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００４０】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の一直線上列型のデザイン性を持たせたものにした。【００４１】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００４２】図３で示すテーパ状掘り込み取手を形成した木製表面板付き箪笥家具は、無垢パインの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００４３】その効果として引出部表面の取手の一直線上に線状模様をより箪笥家具の引出表面を際立たせることが出来た。本発明の箪笥家具は古風性を増して、意匠性を高めた。
【実施例４】
【００４４】図６に示すように、縦状掘り込み模様取手付き箪笥に対して縦切り込み取手を持つ引出を備え、前記箪笥での引出しの縦切り込み取手は、引出部の中央から前後３００ｍｍの範囲に１個でＳ字状に取り付けた箪笥であって、家具箪笥の材料として、厚さ２５ｍｍのパイン材を使用して、表面板、側板、天板、台座、引出部に使用した。【００４５】この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出７段の箪笥を製作した。【００４６】前記家具の引出は、段数として５段（最下段：２５０ｍｍ、中四段：２００ｍｍ、上二段：１５０ｍｍ）であって、縦切り込み取手の位置を段数によって交互に変えて、中央部で取手のＳ字状列型のデザイン性を持たせたものにした。【００４７】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００４８】図３で示すテーパ状掘り込み取手を形成した木製表面板付き箪笥家具は、無垢パインの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００４９】その効果として引出部表面の取手のＳ字状模様をより箪笥家具の引出表面を際立たせることが出来た。本発明の箪笥家具は古風性を増して、意匠性を高めた。
【実施例５】
【００５０】図７に示すように、縦状掘り込み模様取手付き箪笥に対して縦切り込み取手を持つ引出を備え、前記箪笥での引出しの縦切り込み取手は、引出部の中央から前後３００ｍｍの範囲に１個で二列直線状に取り付けた箪笥であって、家具箪笥の材料として、厚さ２５ｍｍのパイン材を使用して、表面板、側板、天板、台座、引出部に使用した。【００５１】この５段（最下段：２５０ｍｍ、中二段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００５２】前記家具の引出は、段数として５段（最下段：２５０ｍｍ、中二段：２００ｍｍ、上二段：１５０ｍｍ）であって、縦切り込み取手の位置を段数によって交互に変えて、中央部で取手の二列直線状列型のデザイン性を持たせたものにした。【００５３】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００５４】図３で示すテーパ状掘り込み取手を形成した木製表面板付き箪笥家具は、無垢パインの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００５５】その効果として引出部表面の取手の二列直線状模様をより箪笥家具の引出表面を際立たせることが出来た。本発明の箪笥家具は古風性を増して、意匠性を高めた。
【実施例６】
【００５６】図８に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２５ｍｍのパイン材を使用して、表面板、側板、天板、台座、引出部に使用した。【００５７】この７段（最下段：２５０ｍｍ、中四段：２００ｍｍ、上二段：１５０ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出７段の箪笥を製作した。【００５８】前記家具の引出は、段数として７段（最下段：２５０ｍｍ、中四段：２００ｍｍ、上二段：１５０ｍｍ）であって、縦切り込み取手の位置を段数によって交互に変えて、中央部で取手の交互列型のデザイン性を持たせたものにした。【００５９】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００６０】図３で示すテーパ状掘り込み取手を形成した木製表面板付き箪笥家具は、無垢パインの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００６１】その効果として引出部表面の取手の交互型線状模様をより箪笥家具の引出表面を際立たせることが出来た。本発明の箪笥家具は古風性を増して、意匠性を高めた。
【実施例７】
【００６２】図９に示すように、縦状掘り込み模様取手付き箪笥に対して縦切り込み取手を持つ引出を備え、前記箪笥での引出しの縦切り込み取手は、引出部の中央から前後３００ｍｍの範囲に１個で交互に取り付けた箪笥であって、家具箪笥の材料として、厚さ２５ｍｍのモミ材を使用して、表面板、側板、天板、台座、引出部に使用した。【００６３】この５段（最下段：３００ｍｍ、中二段：２５０ｍｍ、上二段：２００ｍｍ）の引出部のすべての表面板で、中心から１００ｍｍの位置で左面側から右面側、或いは右面側から左面側に幅１００ｍｍに深さを徐々に大きくなるようにテーパ状掘り込みを形成して、縦取手の位置に１５ｍｍφのＲ形状の掘り込みにしている掘り込み模様取手付き引出５段の箪笥を製作した。【００６４】前記家具の引出は、段数として５段（最下段：３００ｍｍ、中二段：２５０ｍｍ、上二段：２００ｍｍ）であって、縦切り込み取手の位置を段数によって交互に変えて、中央部で取手の交互列型のデザイン性を持たせたものにした。【００６５】厚さ２５ｍｍの引出部の前板に取り付けた縦切り込み取手は、傾斜付き横掘り込み凹状であって、手の指を簡単に挿入できて、掴めるようにするために、横凹部内の先端を半径１５ｍｍのＲ状の形状にした。【００６６】図３で示すテーパ状掘り込み取手を形成した木製表面板付き箪笥家具は、無垢モミの木製板を、自動式ＮＣ機を使いリプルーズカッター刃で、深さ０．５〜１５ｍｍの範囲で表面を徐々に削った縦Ｒ字型彫り込み入り取手を持つ木製化粧板を使用した。【００６７】その効果として引出部表面の取手の交互型線状模様をより箪笥家具の引出表面を際立たせることが出来た。本発明の箪笥家具は古風性を増して、意匠性を高めた。
【符号の説明】
【００６８】１．取手
２．引出
３．取手彫りこみ部
４．天板
５．台座
６．彫りこみテーパー部
７．Ｒ部